(57)【要約】【課題】美観を向上させるとともに、誤動作を確実に防止することができるタッチスイッチおよびその製造方法ならびに電子機器を提供する。【解決手段】タッチスイッチ２０はタッチ部２１の表面に操作者の指が接触することによって変化する該表面の静電容量を検出し、その検出結果に基づいてオンオフ動作する。タッチスイッチ２０は板状部材２２に設けられる。タッチスイッチ２０のタッチ部２１の上面２００２は板状部材２２の上面２２０２により構成され、タッチ部２１の下面２００４は板状部材２２の下面２２０４により構成される。タッチ部２１の下面２００４は操作部１３６の操作ボタンの直上に臨んでいる。板状部材２２の前端面の全域にわたり、導電膜２８が形成されていない非導電部２９が直線状に延在し、非導電部２９によってタッチ部２１の上面２００２の導電膜２８と下面２００４の導電膜２８とは互いに電気的に絶縁される。【選択図】　　　　図５
2004103285.tif 000002
【特許請求の範囲】
【請求項１】
操作部材に隣接してタッチ部が配設され、前記タッチ部の表面に導電性材料からなる導電膜が形成され、前記タッチ部における静電容量の変化を検出し、該検出結果に基づいてオンオフ動作が行なわれるタッチスイッチであって、
前記タッチ部は、前記操作部材に臨む第１面と、前記操作部材の反対側に位置する第２面とを有し、
前記第２面には前記タッチスイッチを構成する前記導電膜が形成され、
前記第１面には前記タッチスイッチを構成せず前記導電膜と同材質の導電膜が形成され、
さらに前記タッチ部には、前記第１面と第２面との境界部分の全長にわたり導電膜が形成されていない非導電部が設けられている、
ことを特徴とするタッチスイッチ。
【請求項２】
操作部材に隣接してタッチ部が配設され、前記タッチ部の表面に導電性材料からなる導電膜が形成され、前記タッチ部における静電容量の変化を検出し、該検出結果に基づいてオンオフ動作が行なわれるタッチスイッチを備える電子機器であって、
前記タッチ部は、前記操作部材に臨む第１面と、前記操作部材の反対側に位置する第２面とを有し、
前記第２面には前記タッチスイッチを構成する前記導電膜が形成され、
前記第１面には前記タッチスイッチを構成せず前記導電膜と同材質の導電膜が形成され、
さらに前記タッチ部には、前記第１面と第２面との境界部分の全長にわたり導電膜が形成されていない非導電部が設けられている、
ことを特徴とする電子機器。
【請求項３】
前記タッチ部は板状に延在し、その厚み方向の一方の面により前記第１面が構成され、その厚み方向の他方の面により前記第２面が構成され、前記非導電部は前記第１面の端部と前記第２面の端部との間で前記タッチ部の延在方向に直線状に延在していることを特徴とする請求項１記載のタッチスイッチまたは請求項２記載の電子機器。
【請求項４】
前記タッチスイッチは単一の板状部材にその長手方向に並べて複数設けられ、前記板状部材は前記操作部材に臨む面と、前記操作部材の反対側に位置する面とを有し、前記第１面は、前記板状部材が前記操作部材に臨む面により構成され、前記第２面は、前記操作部材の反対側に位置する板状部材の面により構成され、前記非導電部は前記第１面の端部と前記第２面の端部との間で前記板状部材の長手方向に直線状に連続して延在していることを特徴とする請求項１記載のタッチスイッチまたは請求項２記載の電子機器。
【請求項５】
前記タッチスイッチは単一の板状部材にその長手方向に並べて複数設けられ、前記板状部材は前記操作部材に臨む面と、前記操作部材の反対側に位置する面とを有し、前記第１面は、前記板状部材が前記操作部材に臨む面により構成され、前記第２面は、前記操作部材の反対側に位置する板状部材の面により構成され、前記非導電部は前記第１面の端部と前記第２面の端部との間で前記板状部材の長手方向に直線状に連続して延在し、前記第１面には前記タッチスイッチを構成しない導電膜が板状部材の長手方向に連続して延在し、前記第２面には、各タッチスイッチ間を絶縁するように前記非導電部とは別の非導電部が設けられていることを特徴とする請求項１記載のタッチスイッチまたは請求項２記載の電子機器。
【請求項６】
前記タッチスイッチは単一の板状部材の長手方向の端部に該長手方向に並べて複数設けられ、前記板状部材は前記操作部材に臨む面と、前記操作部材の反対側に位置する面とを有し、前記板状部材が前記操作部材に臨む面の全域には前記タッチスイッチを構成しない導電膜が形成され、前記操作部材の反対側に位置する板状部材の面には前記導電膜と同材質の導電膜が形成され、前記第１面は、前記板状部材の長手方向の端部で前記板状部材が前記操作部材に臨む面により構成され、前記第２面は、前記板状部材の長手方向の端部で前記操作部材の反対側に位置する板状部材の面により構成され、前記非導電部は板状部材が前記操作部材に臨む面と、前記操作部材の反対側に位置する面との間で前記板状部材の長手方向の全長にわたり直線状に連続して延在し、前記第２面には、タッチスイッチ相互を絶縁するように前記非導電部とは別の非導電部が設けられていることを特徴とする請求項１記載のタッチスイッチまたは請求項２記載の電子機器。
【請求項７】
前記導電膜は金属的光沢を有するメッキ層によって形成されていることを特徴とする請求項１記載のタッチスイッチまたは請求項２記載の電子機器。
【請求項８】
第１面と、前記第１面の反対側に位置する第２面とを有するタッチ部を備え、前記第１面と第２面の表面は導電膜で形成されるとともに、前記第１面と第２面との境界部分の全長にわたり前記導電膜が形成されていない非導電部が設けられたタッチスイッチの製造方法であって、
前記第１面と第２面とで形成される形状よりも小さい輪郭を有する内側部材を、メッキの付着が不能な合成樹脂材料を用いて型成形し、
前記内側材料を金型内にセットし、メッキの付着が可能な合成樹脂材料を金型内に供給して前記内側部材の外側に外側部材を型成形するとともに、前記第１面に対応する外側部材部分と前記第２面に対応する外側部材部分との境界部の全長にわたりこれら外側部材を離間させ前記内側部材を露出させた露出部を形成し、前記内側部材と一体化された前記外側部材をメッキ液中に浸漬して前記外側部材の表面に前記導電膜を構成するメッキ層を形成するようにした、
ことを特徴とするタッチスイッチの製造方法。
【請求項９】
前記内側部材の前記第１面に対応する部分と前記第２面に対応する部分との間を連通する複数の連通孔が設けられ、前記内側材料を金型内にセットし、メッキの付着が可能な合成樹脂材料を金型内に供給する際に、前記連通孔を介して前記第１面に対応する部分から前記第２面に対応する部分へ、あるいは、前記第２面に対応する部分から前記第１面に対応する部分へ前記合成樹脂材料が供給されることを特徴とする請求項７記載のタッチスイッチの製造方法。
【発明の詳細な説明】
【０００１】
【発明の属する技術分野】
本発明はタッチスイッチ、このタッチスイッチを用いた電子機器およびタッチスイッチの製造方法に関する。
【０００２】
【従来の技術】
電子機器の操作を行なうための操作スイッチの一つとしてタッチスイッチがあり、タッチスイッチは多くの場合、筐体の前面に設けられる。
前記タッチスイッチは、タッチ部の表面に導電膜が形成され、該導電膜に操作者の指が接触することによって変化する導電膜の静電容量を検出し、その検出結果に基づいてオンオフ動作するように構成されている。
【０００３】
【発明が解決しようとする課題】
しかしながら、このようなタッチスイッチの近傍箇所に他の操作部材、例えば押ボタンスイッチなどが設けられていると、前記押ボタンスイッチを操作する際に操作者の指がタッチ部の導電膜に誤って接触し、タッチスイッチの誤動作を招くことが想定される。
したがって、タッチスイッチのタッチ部を他の操作部材の近傍箇所に設ける場合には、他の操作部材に臨むタッチ部の表面には導電膜を形成せず、他の操作部材に臨まないタッチ部の表面にのみ導電膜を形成する必要が生じる。
しかしながら、タッチ部はその全体が筐体の前面に露出しているので、単にタッチ部の表面に導電膜が形成された部分と形成されない部分とを設けてしまうと、タッチスイッチや電子機器の美観を向上させる上で不利となる問題がある。
本発明は、このような事情に鑑みてなされたものであり、その目的とするところは、美観を向上させるとともに、誤動作を確実に防止することができるタッチスイッチおよびその製造方法ならびに電子機器を提供することにある。
【０００４】
【課題を解決するための手段】
本発明は、前記目的を達成するため、操作部材に隣接してタッチ部が配設され、前記タッチ部の表面に導電性材料からなる導電膜が形成され、前記タッチ部における静電容量の変化を検出し、該検出結果に基づいてオンオフ動作が行なわれるタッチスイッチであって、前記タッチ部は、前記操作部材に臨む第１面と、前記操作部材の反対側に位置する第２面とを有し、前記第２面には前記タッチスイッチを構成する前記導電膜が形成され、前記第１面には前記タッチスイッチを構成せず前記導電膜と同材質の導電膜が形成され、さらに前記タッチ部には、前記第１面と第２面との境界部分の全長にわたり導電膜が形成されていない非導電部が設けられていることを特徴とする。
また、本発明は、操作部材に隣接してタッチ部が配設され、前記タッチ部の表面に導電性材料からなる導電膜が形成され、前記タッチ部における静電容量の変化を検出し、該検出結果に基づいてオンオフ動作が行なわれるタッチスイッチを備える電子機器であって、前記タッチ部は、前記操作部材に臨む第１面と、前記操作部材の反対側に位置する第２面とを有し、前記第２面には前記タッチスイッチを構成する前記導電膜が形成され、前記第１面には前記タッチスイッチを構成せず前記導電膜と同材質の導電膜が形成され、さらに前記タッチ部には、前記第１面と第２面との境界部分の全長にわたり導電膜が形成されていない非導電部が設けられていることを特徴とする。
また、本発明は、第１面と、前記第１面の反対側に位置する第２面とを有するタッチ部を備え、前記第１面と第２面の表面は導電膜で形成されるとともに、前記第１面と第２面との境界部分の全長にわたり前記導電膜が形成されていない非導電部が設けられたタッチスイッチの製造方法であって、前記第１面と第２面とで形成される形状よりも小さい輪郭を有する内側部材を、メッキの付着が不能な合成樹脂材料を用いて型成形し、前記内側材料を金型内にセットし、メッキの付着が可能な合成樹脂材料を金型内に供給して前記内側部材の外側に外側部材を型成形するとともに、前記第１面に対応する外側部材部分と前記第２面に対応する外側部材部分との境界部の全長にわたりこれら外側部材を離間させ前記内側部材を露出させた露出部を形成し、前記内側部材と一体化された前記外側部材をメッキ液中に浸漬して前記外側部材の表面に前記導電膜を構成するメッキ層を形成するようにしたことを特徴とする。
そのため、本発明のタッチスイッチ及び電子機器によれば、タッチスイッチのタッチ部の第１面と第２面との境界部分の全長にわたり導電膜が形成されていない非導電部が設けられているので第１面と第２面とが電気的に絶縁されている。したがって、タッチ部の第２面に指を接触させたときにはタッチスイッチのオンオフ動作が行なわれるが、操作部材を操作する場合に、該操作部材に臨むタッチ部の第１面に指を誤って接触させても、第２面の静電容量は変化せず、したがってタッチスイッチによるオンオフ動作はなされない。
また、本発明の製造方法によれば、メッキの付着が不能な内側部材とメッキの付着が可能な外側部材とを用いることで、前記構成のタッチスイッチを簡単に製造することができる。
【０００５】
【発明の実施の形態】
以下、本発明による表示部および電子機器の実施の形態を図面に基づいて詳細に説明する。
図１は、本発明の電子機器としての光ディスク装置の構成を示すブロック図である。
光ディスク装置１００は、スピンドルモータ１０２、光ヘッド１０４、送りモータ１０６、サーボ制御部１０８、信号処理部１１０、インターフェース部１１２、操作手段１１４、表示手段１１６、赤外線検出器１１７Ａ、リモートコントロール用インターフェース１１７Ｂ、ディスクトレイ１１８、トレイ駆動手段１２０、ＩＣカードインターフェース１２２、開閉蓋機構１２４、制御部１２６などを備えている。
前記スピンドルモータ１０２は、光ディスク１０１を回転駆動する駆動手段を構成するものである。
前記光ヘッド１０４は、回転する光ディスク１０１の信号記録面に対して光照射を行うことにより光ディスク１０１の信号記録面に対するに対する記録、再生を行うように構成されている。
前記送りモータ１０６は、前記光ヘッド１０４を光ディスク１０１の半径方向に駆動する駆動手段を構成している。
前記サーボ制御部１０８は、前記スピンドルモータ１０２の回転制御、光ヘッド１０４におけるフォーカスサーボ制御およびトラッキングサーボ制御、光ヘッド１０４の光ビームの出力制御などを行なうように構成されている。
【０００６】
前記信号処理部１１０は、信号の変調、復調及びＥＣＣ（エラー訂正符号）の付加などの処理を行う。この信号処理部１１０の指令に従って、前記光ヘッド１０４による前記記録、再生が行われる。
前記インターフェース部１１２は、前記信号処理部１１０から供給される復調された再生信号を前記光ディスク装置１００の外部に送出するように構成されている。
前記操作手段１１４は、前記光ディスク装置１００に対する操作を行なうためのものであり、操作ボタンと本発明に係るタッチスイッチを有している。
前記表示手段１１６は、前記光ディスク装置１００の動作状態や操作の使用方法などを示す情報を表示するためのものである。
前記ディスクトレイ１１８は、光ディスク装置１００の筐体の外部と内部の間で光ディスク１０１の移動を行なうように構成されている。
前記トレイ駆動手段１２０は、前記ディスクトレイ１１８を駆動するように構成されている。
前記ＩＣカードインターフェース１２２は、前記ディスク装置１００が動作を行なう上で必要となるデータをディスク装置１００に挿入されたＩＣカード１２１から読み取るように構成されている。
前記開閉蓋機構１２４は、蓋板１０、支持機構１２、駆動手段１４などを備えている。
前記制御部１２６は、上述したスピンドルモータ１０２、サーボ制御部１０８、信号処理部１１０、インターフェース部１１２、操作部１１４、表示部１１６、トレイ駆動手段１２０、ＩＣカードインターフェース１２２、開閉蓋機構１２４の制御を司るものである。
【０００７】
図２は本発明が適用された光ディスク装置の外観を示す斜視図、図３は光ディスク装置の前面に設けられた蓋板が開放された状態を示す斜視図である。
図２、図３に示すように、光ディスク装置１００は、高さと、高さよりも大きな寸法の幅と長さを有する矩形板状の筐体１３０を有している。
前記筐体１３０の前面１３１は、上下方向の高さと、この高さよりも大きな寸法の左右方向の幅を有し、前面１３１には、表示部１３２、本発明に係るタッチスイッチ２０、操作部１３６、前記蓋板１０が設けられている。
前記開閉蓋機構１２４は、上述のように蓋板１０、支持機構１２、駆動手段１４などを備え、前記蓋板１０は前記操作部１３６を覆えるように上下方向の高さと、この高さよりも大きな寸法の左右方向の幅を有している。
前記支持機構１２は、前記蓋板１０と前記筐体１３０とにわたって設けられ、前記蓋板１０で前記操作部１３６を覆う閉塞位置（図２）と前記蓋板１０を操作部１３６から離間させ操作部１３６を開放する開放位置（図３）との間で前記蓋板１０を開閉可能に支持している。
前記駆動手段１４は、前記制御部１２６の制御に基づき前記支持機構１２を駆動することにより前記蓋板１０を前記閉塞位置と開放位置との間で移動させるように構成されている。
【０００８】
前記表示部１３２は、前記前面１３１の上部に幅方向に延在して設けられた光が透過可能な材料で構成されたカバー部材と、該カバー部材の内側に配設された前記表示手段１１６を構成する前記ＬＥＤランプや文字表示器とを含んで構成され、前記表示手段１１６を構成している。
前記操作部１３６は、前記表示部１３２の下方で、かつ、前記表示部１３２よりも後方に偏位した箇所に配設されている。該操作部１３６には、前記操作手段１１４の他の部分を構成する複数個の操作ボタン１３８、前記ディスクトレイ１１８が出入するためのディスク挿入口１４０、前記ＩＣカード１２１を装着するためのＩＣカード挿入口１４２などが設けられている。
【０００９】
図１４に示すように、前記ＩＣカード挿入口１４２の前部には該ＩＣカード挿入口１４２を開閉する開閉蓋１４４が設けられている。
開閉蓋１４４は支軸１４６を介して筐体に揺動可能に組付けられている。
前記開閉蓋１４４は、前記ＩＣカード挿入口１４２を開閉する横長の蓋板部１４４Ａと、該蓋板部１４４Ａの基端に設けられた係合板部１４４Ｂとを備えている。
前記開閉蓋１４４は、蓋板部１４４Ａの側方から指を掛けて開閉操作を行なう手動式である。
本実施の形態ではこの開閉操作をし易くまた確実に行なわせるためトグル機構が付設されている。
前記トグル機構は、筐体１３０に組み込まれた移動部材１４８と、この移動部材１４８を突出する方向に付勢するコイルスプリング１５０により構成されている。
前記移動部材１４８の円板状の先端部１４８Ａは前記コイルスプリング１５０の付勢力により前記係合板部１４４Ｂの先端凸部１４４Ｃに常時当接しており、図１５（Ａ）に示すように、開閉蓋１４４でＩＣカード挿入口１４２を閉塞した状態では該開閉蓋１４４を閉塞位置に位置するように付勢しており、また、コイルスプリング１５０の付勢力に抗して指により開閉蓋１４４を開けると、図１５（Ｂ）に示すように、ＩＣカード挿入口１４２を開放した状態では該開閉蓋１４４を開放位置に位置するように付勢している。
なお、開閉蓋１４４を閉塞位置から開放位置へ操作すると、閉塞位置と開放位置との途中の位置からコイルスプリング１５０の付勢力は、開閉蓋１４４を開放位置へ付勢するように働き、また、開閉蓋１４４を開放位置から閉塞位置へ操作すると、開放位置と閉塞位置との途中の位置からコイルスプリング１５０の付勢力は、開閉蓋１４４を閉塞位置へ付勢するように働く。
【００１０】
前記タッチスイッチ２０は、タッチ部２１の表面に操作者の指が接触することによって変化する該表面の静電容量を検出し、その検出結果に基づいてオンオフ動作するように構成されている。
前記タッチ部２１は前記操作部１３６の操作ボタン１３８（特許請求の範囲の操作部材に相当）に隣接して配設され、本実施の形態では、前記操作ボタン１３６の上方に隣接し、かつ、前記表示部１３２の下方に隣接して配設されている。
前記タッチスイッチ２０は第１タッチスイッチ２０Ａ、第２タッチスイッチ２０Ｂからなり、第１タッチスイッチ２０Ａは前記開閉蓋機構１２４の開閉操作を行なうためのものであり、第２タッチスイッチ２０Ｂは前記ディスクトレイ１１８の進退操作を行なうためのものである。
【００１１】
図４はタッチスイッチの平面図、図５は図４のＸＸ線断面図、図６は図４のＹＹ線断面図、図７はタッチスイッチの操作説明図、図８は図７を側方から見た図、図９は操作ボタンの操作説明図、図１０は図９を側方から見た図である。
前記第１、第２タッチスイッチ２０Ａ、２０Ｂは、前記筐体１３０の前面１３１の左右方向の全域にわたって延在する板状部材（タッチ部構成用部材）２２の右端に並べて設けられている。
前記板状部材２２は、内側部材２４と、外側部材２６と、導電膜２８とで構成され、該板状部材２２の右端には第１、第２タッチスイッチ２０Ａ、２０Ｂに対応してそれぞれ軸状の電極部２３が突設されている。
前記板状部材２２は、図５に示すように、上下の段部を筐体１３０に係止させてその一部が筐体１３０に組み込まれるもので、筐体１３０から露出する板状部材２２部分が前記タッチ部２１を構成することになる。
前記板状部材２２は上下方向の厚みを有して直線状に延在し、図５に示すように、厚さ方向の一方の面が上方を向いた上面２２０２となり、厚さ方向の他方の面が下方を向いた下面２２０４となる。前記板状部材２２の右端に位置する前記第１、第２タッチスイッチ２０Ａ、２０Ｂの各タッチ部２１の上面２００２は前記板状部材２２の上面２２０２により構成され、第１、第２タッチスイッチ２０Ａ、２０Ｂの各タッチ部２１の下面２００４は前記板状部材２２の下面２２０４により構成されている。そして、前記第１、第２タッチスイッチ２０Ａ、２０Ｂの各タッチ部２１の下面２００４は前記操作ボタン１３８の直上に臨んでいる。
【００１２】
図１１（Ａ）は内側部材の上面図、（Ｂ）は正面図、（Ｃ）は下面図である。
前記内側部材２４は、メッキの付着が不能な合成樹脂材料を用いて型成形されている。本実施の形態では、前記合成樹脂材料としてポリカーボネートが用いられている。
前記内側部材２４は、前記板状部材２２の全長にわたり直線状に延在する本体部２４０２と、前記電極部２３に対応した本体部２４０２箇所から突出する突出部２４０４とを備えている。
また、前記本体部２４０２には、該本体部２４０２の長手方向に間隔をおいて上下に貫通する第１連通孔２４０６が複数設けられ、前記各突出部２４０４にも上下に貫通する第２連通孔２４０８が設けられている。
【００１３】
図１２（Ａ）は内側部材の外側に外側部材が形成された状態を示す上面図、（Ｂ）は正面図、（Ｃ）は下面図である。
前記外側部材２６は、メッキの付着が可能な合成樹脂材料を用いて前記内側部材２４の外側に型成形により形成されている。本実施の形態では、前記合成樹脂材料としてＡＢＳ樹脂が用いられている。
より詳細には、前記外側部材２６は、前記内側部材２４の上面を覆うように設けられた上面部２６０２と、内側部材２４の下面を覆うように設けられた下面部２６０４と、前記上面部２６０２と下面部２６０４との境界部分の全長にわたってこれら上面部２６０２と下面部２６０４とを離間させ前記内側部材２４を露出させる均一幅の第１露出部２６１０と、前記第１、第２連通孔２４０６、２４０８に充填され上面部２６０２と下面部２６０４とを連通する軸部２６０６、２６０８とを備えている。
なお、板状部材２２が筐体１３０に組み込まれた状態で前記第１露出部２６１０は、筐体１３０の前方に臨むことになる。
また、前記第１タッチスイッチ２０Ａの上面に対応する内側部材２４の上面箇所と第２タッチスイッチ２０Ｂの上面に対応する内側部材２４の上面箇所との間には前記外側部材２６が設けられておらず内側部材２２が露出する第２露出部２６１２が設けられている。また、前記第２タッチスイッチ２０Ｂの上面に対応する内側部材２４の上面箇所と、該上面箇所から内側部材２４の左端まで延在する内側部材２４の上面箇所との間にも前記外側部材２６が設けられておらず内側部材２４が露出する第３露出部２６１４が設けられている。
また、前記内側部材２４の突出部２４０４の下面の本体部２４０２寄りの箇所には、前記外側部材２６が設けられておらず内側部材２４が下方に露出する第４露出部２６１６が設けられている。
【００１４】
図１３（Ａ）は外側部材に導電膜が形成された状態を示す上面図、（Ｂ）は正面図、（Ｃ）は下面図である。
前記導電膜２８は前記外側部材２６の表面を覆うように設けられ、したがって導電膜２８は板状部材２２の上面２２０２と下面２２０４に設けられている。本実施の形態では、前記導電膜２８は美観を高めるために金属的光沢を有するメッキ層によって形成され、上面２２０２と下面２２０４の導電膜は同一の材質で形成されている。
なお、内側部材２４の前端面をなす第１露出部２６１０には外側部材２６が設けられておらず、したがって板状部材２２の前端面の全域にわたり、導電膜２８が形成されていない非導電部２９が直線状に延在することになる。
また、前記第２露出部２６１２および第３露出部２６１４には前記外側部材２６が設けられておらず、したがって、これら第２露出部２６１２、第３露出部２６１４にも導電膜２８が形成されていない非導電部２９が形成されることになり、これら非導電部２９を除いた板状部材２２の上面全域に導電膜２８が形成されることになる。
すなわち、前記板状部材２２が前記操作ボタン１３８に臨む下面２２０４と反対側の上面２２０２には、前記導電膜２８が形成されるとともに第１、第２タッチスイッチ２０Ａ、２０Ｂ間を絶縁するように、前記第１露出部２６１０に設けられた非導電部とは別の非導電部２９が設けられることになる。
また、前記第４露出部２６１６には前記外側部材が設けられておらず、したがって第４露出部２６１６にも導電膜２８は形成されていない非導電部２９が形成されている。なお、図５に示すように、前記第４露出部２６１６は筐体内に組み込まれるので、筐体１３０から露出する板状部材２２の下面２２０４にはその全域にわたり導電膜２８が延在することになる。すなわち、前記板状部材２２が前記操作ボタン１３８に臨む下面２２０４には、第１、第２タッチスイッチ２０Ａ、２０Ｂのタッチ部２１を連続させるように導電膜２８が形成されることになる。
これにより、前記第１タッチスイッチ２０Ａのタッチ部２１の上面２００２の導電膜２８と、第２タッチスイッチのタッチ部２１の上面２００２の導電膜２８と、該第２タッチスイッチ２０Ｂのタッチ部２１の左側に延在する導電膜２８と、前記第１、第２タッチスイッチ２０Ａ、２０Ｂのタッチ部２１の下面２００４を含む前記板状部材２２の下面２２０４の全域に形成された導電膜２８とは互いに電気的に絶縁することになり、板状部材２２の下面２２０４全域の導電膜２８は第１、第２タッチスイッチ２０Ａ、２０Ｂを構成せず、意匠上の効果のみを発揮するものとなっている。
【００１５】
前記電極部２３の上面に位置する導電膜２８は、不図示のスイッチ回路に電気的に接続されており、該スイッチ回路は、前記第１タッチスイッチ２０Ａのタッチ部２１あるいは第２タッチスイッチ２０Ｂのタッチ部２１の上面２００２に操作者の指が触れることで、これらタッチ部２１の導電膜２８に操作者の指が触れることで変化する静電容量に基づいてオンオフするように構成されている。すなわち、前記第１、第２タッチスイッチ２０Ａ、２０Ｂおよび前記スイッチ回路が前記操作手段１１４の一部を構成している。
【００１６】
ここで、前記タッチスイッチ２０の製造方法について説明する。
図５、図１１に示すように、まず、前記上面２２０２と下面２２０４とで形成される板状部材２２の形状よりも小さい輪郭を有しかつ上面２２０２と下面２２０４との間を連通する、前記第１連通孔２４０６、第２連通孔２４０８を有する内側部材２４を、メッキの付着が不能な合成樹脂材料を用いて型成形する。
【００１７】
次いで、前記内側材料２４を金型内にセットする。この場合、図５に示すように、内側部材２４を金型内にセットした状態で、内側部材２４の外面と金型の型面との間には外側部材２６に対応した形状のキャビティが形成されている。
次いで、メッキの付着が可能な合成樹脂材料を前記第２連通孔２４０８から金型内に供給する。これにより、前記合成樹脂材料は、第２連通孔２４０８から前記内側部材２４の上面に供給され、同時に、前記第１連通孔２４０６から前記内側部材２４の下面に供給される。
そして、前記内側部材２４の上面側に外側部材２６による上面部２６０２が型成形されるとともに、内側部材２４の下面側に外側部材２６による下面部２６０４が型成形される。
そして、下面２２０４に対応する外側部材２６部分と上面２２０２に対応する外側部材２８部分との境界部の全長にわたり、換言すれば前記上面部２６０２と下面部２６０４との境界部分の全域にわたり、これら外側部材２６が離間した第１露出部２６１０が形成される。したがって、前記第１露出部２６１０には、前記内側部材２４が露出し、メッキの付着が不能な合成樹脂材料が露出することになる。
また、図１２（Ａ）に示すように、前記第１タッチスイッチ２０Ａの上面２００２に対応する内側部材２４の上面箇所と第２タッチスイッチ２０Ｂの上面２００２に対応する内側部材２４の上面箇所との間には内側部材２２が露出する第２露出部２６１２が形成され、メッキの付着が不能な合成樹脂材料が露出することになる。
また、前記第２タッチスイッチ２０Ｂの上面２００２に対応する内側部材２４の上面箇所と、該上面箇所から内側部材２４の左端まで延在する内側部材２４の上面箇所との間にも内側部材２４が露出する第３露出部２６１４が形成され、メッキの付着が不能な合成樹脂材料が露出することになる。
また、前記内側部材２４の突出部２４０４の下面の本体部２４０２寄りの箇所にも前記外側部材２６が設けられておらず内側部材２４が下方に露出する第４露出部２６１６が形成され、メッキの付着が不能な合成樹脂材料が露出することになる。
【００１８】
次いで、このように内側部材２４と一体化された前記外側部材２６をメッキ液中に浸漬する。
これにより前記外側部材２６の表面に前記導電膜２８を構成するメッキ層が形成され、また、メッキの付着が不能な合成樹脂材料が露出した前記第１露出部２６１０、第２露出部２６１２、第３露出部２６１４、第４露出部２６１６の部分にはメッキされていない前記非導電部２９が形成され、第１、第２タッチスイッチ２０Ａ、２０Ｂが設けられた板状部材２２が得られる。
このようにメッキの付着が不能な内側部材２４とメッキの付着が可能な外側部材２６とを用いることで、上面２００２と下面２００４との境界部分の全長にわたり前記導電膜２８が形成されていない非導電部２９が設けられたタッチスイッチ２０を簡単に製造することができる。
【００１９】
次に、本実施の形態の作用について説明する。
図７、図８に示すように、前記タッチスイッチ２０を操作する場合には、タッチ部２１の前端面に、あるいは上面２００２に指を触れると、上面２２０２の前端面寄りの箇所が指と導通することにより静電容量の変化が生じて前記スイッチ回路がオンオフし、このオンオフを検出した制御部１２６の制御に基づいて前記開閉蓋機構１２４の開閉動作、あるいは前記ディスクトレイ１１８の進退動作がなされる。
図９、図１０に示すように、前記操作部１３６の操作ボタン１３８を操作する場合には、タッチスイッチ２０のタッチ部２１の下面２２０４の下方に指を伸ばして操作ボタン１３８を押圧することで所望の操作がなされる。
この際、指と前記タッチスイッチ２０のタッチ部２１の下面２００４とが接触しても、前記下面２００４の導電膜２８と、前記上面２００２および電極部２３の導電膜２８とが電気的に絶縁されているので、前記上面２００２の静電容量は変化せず、したがってタッチスイッチ２０によるオンオフはなされない。
【００２０】
以上説明した本実施の形態によれば、タッチスイッチ２０のタッチ部２１には、前記下面２２０４と上面２２０２との境界部分の全長にわたり前記導電膜２８が形成されていない非導電部２９が設けられているので、前記操作ボタン１３８を操作する際にタッチスイッチ２０の下面２２０４に誤って触れてしまってもタッチスイッチ２０は動作しない。
したがって、タッチスイッチ２０のタッチ部２１の上面２２０２および下面２２０４の双方をメッキによる導電膜２８で形成して美観を向上させるとともに、タッチスイッチ２０による誤動作を確実に防止することができる。
また、タッチスイッチ２０の誤動作を防止できるので、操作部１３８の操作ボタン１３８などの近傍にタッチスイッチ２０を配置でき、これにより設計の自由度を向上させる上でも有利となる。
さらに、実施の形態では、タッチスイッチ２０を含む板状部材２２の上面２２０２と下面２２０４の全域に同材質の導電膜２８をそれぞれ設けたので、タッチスイッチ２０の美観を向上する上でより有利となる。
【００２１】
【発明の効果】
以上説明したように本発明によれば、美観を向上させるとともに、誤動作を確実に防止することができるタッチスイッチおよびその製造方法ならびに電子機器を提供することができる。
【図面の簡単な説明】
【図１】本発明の電子機器としての光ディスク装置の構成を示すブロック図である。
【図２】本発明が適用された光ディスク装置の外観を示す斜視図である。
【図３】光ディスク装置の前面に設けられた蓋板が開放された状態を示す斜視図である。
【図４】図４はタッチスイッチの平面図である。
【図５】図４のＸＸ線断面図である。
【図６】図４のＹＹ線断面図である。
【図７】タッチスイッチの操作説明図である。
【図８】図７を側方から見た図である。
【図９】操作ボタンの操作説明図である。
【図１０】図９を側方から見た図である。
【図１１】（Ａ）は内側部材の上面図、（Ｂ）は正面図、（Ｃ）は下面図である。
【図１２】（Ａ）は内側部材の外側に外側部材が形成された状態を示す上面図、（Ｂ）は正面図、（Ｃ）は下面図である。
【図１３】（Ａ）は外側部材に導電膜が形成された状態を示す上面図、（Ｂ）は正面図、（Ｃ）は下面図である。
【図１４】操作部の一部を示す斜視図である。
【図１５】（Ａ）は開閉扉が閉塞位置にある状態を示す図、（Ｂ）は開閉扉が開放位置にある状態を示す図である。
【符号の説明】
２０……タッチスイッチ、２２……板状部材、２４……内側部材、２６……外側部材、２８……導電膜、２９……非導電部、１００……光ディスク装置、１３０……筐体、１３６……操作部、１３８……操作ボタン。
【図１】
2004103285.tif 000003
【図２】
2004103285.tif 000004
【図３】
2004103285.tif 000005
【図４】
2004103285.tif 000006
【図５】
2004103285.tif 000007
【図６】
2004103285.tif 000008
【図７】
2004103285.tif 000009
【図８】
2004103285.tif 000010
【図９】
2004103285.tif 000011
【図１０】
2004103285.tif 000012
【図１１】
2004103285.tif 000013
【図１２】
2004103285.tif 000014
【図１３】
2004103285.tif 000015
【図１４】
2004103285.tif 000016
【図１５】
2004103285.tif 000017